(57)【特許請求の範囲】
【請求項１】
表裏に抜ける反射光出口をそれぞれ有するキュービックコーナー体を軸心を平行にして配置した再帰性反射材の入光側に、光反射部と光透過部が混在した部分透過ミラーを設け、前記光透過部を通って、前記再帰性反射材によって反射した対象物からの光を前記光反射部で再反射させ、前記反射光出口から外部に出光させて結像したことを特徴とする立体像表示装置。
【請求項２】
請求項１記載の立体像表示装置において、前記キュービックコーナー体は、互いに直角に交わる３つの反射面を有し、該３つの反射面の角部側に前記反射光出口が設けられていることを特徴とする立体像表示装置。
【請求項３】
請求項２記載の立体像表示装置において、前記反射光出口は、前記キュービックコーナー体の仮想角部から一定高さ位置まで除去されて形成されていることを特徴とする立体像表示装置。
【請求項４】
請求項３記載の立体像表示装置において、前記キュービックコーナー体は該キュービックコーナー体の仮想角部を基準とした高さをｈとした場合、前記反射光出口が前記仮想角部から（０．３〜０．８）ｈの高さ範囲の位置に形成されていることを特徴とする立体像表示装置。
【請求項５】
請求項２〜４のいずれか１項に記載の立体像表示装置において、前記キュービックコーナー体は透明プラスチック又はガラスからなって、前記３つの反射面は鏡面処理が行われていることを特徴とする立体像表示装置。
【請求項６】
互いに直角に交わる３つの反射面を有し、該３つの反射面の角部側に反射光出口が設けられたキュービックコーナー体を、該キュービックコーナー体の軸心を平行にして平面状に複数並べて再帰性反射材を形成し、前記再帰性反射材の入光面に光反射部と光透過部が混在した部分透過ミラーを配置した立体像表示装置を用い、前記キュービックコーナー体に前記光透過部から対象物からの光を入れて前記キュービックコーナー体で再帰反射をさせ、その再帰反射光を前記光反射部で反射させて、前記反射光出口から外部に出光して結像させることを特徴とする立体像表示方法。
【発明の詳細な説明】
【技術分野】
【０００１】
本発明は立法体の３面を有するコーナーキューブ（以下、キュービックコーナー体と称する）を用いた立体像表示装置及び立体像表示方法に関する。
【背景技術】
【０００２】
従来、立体画像を表示する装置及び方法として、特許文献１記載の立体像の表示装置、及び特許文献２記載の光学結像装置及び方法が知られている。特許文献１記載の技術は、多数のキュービックミラーを格子状に並べ、各キュービックミラーの一面で反射した光をキュービックミラーの直交面で反射させて、表示装置の反対側の空間に実像として立体像を形成させるものである。
【０００３】
また、特許文献２記載の光学結像装置６０は、図７に示すように、表裏面に対して直交する帯状の平面反射部６３、６４を多数備えた第１、第２の光制御部材６５、６６を、それぞれの平面反射部６３、６４が直交するようにして並べ、表裏面の一方側に配置された立体像６７を他方側に実像６８として形成するものであった。
【先行技術文献】
【特許文献】
【０００４】
【特許文献１】特開２００９−３００６２３号公報
【特許文献２】ＷＯ２００９／１３１１２８号公報
【発明の概要】
【発明が解決しようとする課題】
【０００５】
しかしながら、特許文献２記載の光学結像装置６０（特許文献１記載の表示装置においても同じ）においては、立体像６７を表裏面に対して斜め方向に配置し、立体像６７からの光を入れて、表裏面から斜め方向に実像６８を形成させることが基本原理であるので、光学結像装置６０の表裏面の正面（対向位置）にある立体像の実像形成は困難であるという問題があった。
勿論、鏡等を置いて、結像位置を変えることは可能であるが、構造が複雑となり、全体として装置自体が厚みを有するという問題点があった。
【０００６】
本発明はかかる事情に鑑みてなされたもので、装置を正面視して立体像（実像）を形成可能な立体像表示装置及び立体像表示方法を提供することを目的とする。
【課題を解決するための手段】
【０００７】
前記目的に沿う第１の発明に係る立体像表示装置は、表裏に抜ける反射光出口をそれぞれ有するキュービックコーナー体を軸心を平行にして配置した再帰性反射材の入光側に、光反射部と光透過部が混在した部分透過ミラーを設け、前記光透過部を通って、前記再帰性反射材によって反射した対象物からの光を前記光反射部で再反射させ、前記反射光出口から外部に出光させて結像した。
【０００８】
第１の発明に係る立体像表示装置において、前記キュービックコーナー体は、互いに直角に交わる３つの反射面（直角２等辺三角形の一部）を有し、該３つの反射面の角部側に前記反射光出口が設けられているのが好ましい。
【０００９】
なお、部分透過ミラーの透光率（透過領域面積／全面積）は３０〜７０％の範囲であるのが好ましい。また、光透過部と光反射部の形状は多角形（三角形を含む）であるのが好ましいが、縞状、散在状であってもよい。一つの光透過部又は光反射部の大きさは、一つのキュービックコーナー体の入光面（例えば、正三角形の平面）の１／１０００〜１／５０程度（より好ましくは、１／２００〜１／５０）であるのが好ましい。
【００１０】
第１の発明に係る立体像表示装置において、前記反射光出口は、前記キュービックコーナー体の仮想角部から一定高さ位置まで除去されて形成されているのが好ましい。
【００１１】
第１の発明に係る立体像表示装置において、前記キュービックコーナー体は該キュービックコーナー体の仮想角部を基準とした高さをｈとした場合、前記反射光出口が前記仮想角部から（０．３〜０．８）ｈの高さ範囲の位置に形成されているのが好ましい。
【００１２】
第１の発明に係る立体像表示装置において、前記キュービックコーナー体は透明プラスチック又はガラスからなって、前記３つの反射面は鏡面処理が行われているのが好ましい。
【００１３】
そして、第２の発明に係る立体像表示方法は、互いに直角に交わる３つの反射面を有し、該３つの反射面の角部側に反射光出口が設けられたキュービックコーナー体を、該キュービックコーナー体の軸心を平行にして平面状に複数並べて再帰性反射材を形成し、前記再帰性反射材の入光面に光反射部と光透過部が混在した部分透過ミラーを配置した立体像表示装置を用い、前記キュービックコーナー体に前記光透過部から対象物からの光を入れて前記キュービックコーナー体で再帰反射をさせ、その再帰反射光を前記光反射部で反射させて、前記反射光出口から外部に出光して結像させる。
【発明の効果】
【００１４】
第１、第２の発明に係る立体像表示装置及び立体像表示方法は、例えば、対象物（被写体及び光源を含む）からの光を再帰性反射材で入射方向に反射させ、再度部分透過ミラーで反射させているので、立体像表示装置に対して一方側の垂直位置に置いた立体像（対象物）を、立体像表示装置の他方側の垂直位置に実像として形成させることができる。
ここで、部分透過ミラーを使用することによって、通常のハーフミラーに比較して光を通過する領域と光を反射する領域を明確に分けることができ、設計製作が容易となる。
【００１５】
従って、立体像表示装置を正面視して立体像を鑑賞することができ、装置全体の薄型化が可能となる。
特に、本発明においては、立体像表示装置の裏面側に配置された対象物（電気信号等による仮想画像も含む）を、立体像表示装置の表面側に結像できるので、例えば、携帯電話又は他のディスプレイに容易に利用できる。
【図面の簡単な説明】
【００１６】
【図１】（Ａ）は本発明の一実施の形態に係る立体像表示装置の正断面図、（Ｂ）は図１（Ａ）における矢視Ｋ−Ｋ拡大図である。
【図２】同立体像表示装置の底面図である。
【図３】（Ａ）〜（Ｃ）はそれぞれ異なるタイプの部分透過ミラーの説明図である。
【図４】（Ａ）、（Ｂ）はそれぞれ同立体像表示装置の動作説明図である。
【図５】同立体像表示装置のキュービックコーナー体の説明図である。
【図６】同立体像表示装置の動作説明図である。
【図７】従来例に係る立体像表示装置の説明図である。
【発明を実施するための形態】
【００１７】
続いて、添付した図面を参照しながら、本発明を具体化した実施の形態について説明する。
図１（Ａ）、（Ｂ）、図２、図５に示すように、本発明の一実施の形態に係る立体像表示装置１０は、頂部１１が欠損して反射光出口１１ａを形成する多数のキュービックコーナー体１２が隙間なく隣接して配置された光制御部材１３と、光制御部材１３の入光側に設けられた部分透過ミラー１４とを有している。なお、キュービックコーナー体１２はコーナーキューブと称され、多数並べて再帰性反射材として一般に利用されている。なお、反射光出口１１ａはキュービックコーナー体１２の表裏を光が抜ける構造となっている。
【００１８】
キュービックコーナー体１２は、ガラス又はプラスチックからなる透明体を主体とし、図４（Ａ）、（Ｂ）、図５に示すように立方体１６の直交する３つの面（反射面）１７〜１９を有している。３つの面１７〜１９は、直角２等辺三角形の頂部１１が一定の高さｈ１で水平に切除されている（図４（Ａ））。これによって、キュービックコーナー体１２は等脚台形からなる３つの面１７〜１９と、３つの面１７〜１９の底辺（又は天井辺）２０〜２２によって囲まれる正三角形２３と、３つの面１７〜１９の角部側の頂部平面２４とを有している。
【００１９】
図５においては、立方体１６の角部をそれぞれＡ〜Ｈとして以下の説明を行う。立方体１６の一陵（辺）の長さをａとし、ＡＥの中点をＱとすると、ＡＱ＝ａ／√２となり、ＱＣ＝ａ・√（３／２）、ＱＢ＝ａ／√２、ｃｏｓθ＝ＱＢ／ＱＣ＝１／√３となる。従って、キュービックコーナー体１２の仮想角部（立方体１６の角部Ｂ）を基準として、垂直に中心線ｍを配置した場合、水平面Ｎに対する各面１７〜１９の傾きθは、ａｒｃｃｏｓ（１／√３）≒５４．７３６度となる。
【００２０】
キュービックコーナー体１２は中心線ｍを垂直にした場合、平面視して正三角形となるので、図１（Ａ）に示すように多数のキュービックコーナー体１２を軸心ｍを平行にして平面状に隙間なく敷きつめることができる。この場合、キュービックコーナー体１２の頂部には、図４（Ａ）に示すように角部Ｂから高さｈ１の位置で頂部１１を除去し、中心線ｍに垂直な頂部平面２４を形成している。この頂部平面２４はこの実施の形態においては表裏に抜ける反射光出口１１ａとなる。また、キュービックコーナー体１２の外側の面１７〜１９には鏡面処理（ハーフミラーではない、通常は蒸着処理によって）が行われて、反射面が形成される。これによって、光制御部材１３は入射光と反射光が水平又は垂直に対して同一角度（平行）にある再帰性反射材として機能する。
【００２１】
頂部平面２４を形成するカット高さｈ１は、キュービックコーナー体１２を中心線ｍを垂直にして立てた場合の角Ｂを基準とした高さｈ（＝ＢＳ）の０．３〜０．８倍（より好ましくは０．３５〜０．５倍）の高さとするのが好ましい。高さｈ１を大きくすると、キュービックコーナー体１２の反射面積が減少し、高さｈ１を小さくすると、反射光出口１１ａを通る反射光が減少し結像された実像の光量が不足する。
【００２２】
この状態で、多数敷きつめられたキュービックコーナー体１２によって構成される光制御部材１３の入光側は正三角形の平面１３ａ（入光面）から構成されるので、その上に部分透過ミラー１４を形成又は配置する。部分透過ミラー１４の一つを図１（Ｂ）に示すが、それぞれ多数の三角形の光透過部１４ａと三角形の光反射部１４ｂが隣り合って配置されている。部分透過ミラー１４は、光透過部１４ａにマスクをかけて非マスク部に銀、アルミニウム、チタン等の白色金属を蒸着して、その後マスクを除去して形成される。
【００２３】
光透過部１４ａと光反射部１４ｂの一辺の長さは、正三角形の平面１３ａの１／１０００〜１／５０程度（より好ましくは、１／２００〜１／５０）となっている。
光透過部１４ａと光反射部１４ｂの一辺の長さを小さくすると、製造が難しくなり、光の干渉が生じる。また、光透過部１４ａと光反射部１４ｂの一辺の長さを大きくすると、像が不鮮明になるので、適正範囲にするのが好ましいが、キュービックコーナー体１２の大きさによって異なるので、本発明はこの範囲に限定されるものではない。
【００２４】
これによって、対象物（平面又は立体のディスプレイ画像を含む）２６からの光は部分透過ミラー１４の光透過部１４ａを介して光制御部材１３に入り、同一角度で反射するが、部分透過ミラー１４の光反射部１４ｂで反射し、反射光出口１１ａから出て、立体像表示装置１０の外側位置で実像２７を結像する。
【００２５】
図３（Ａ）〜（Ｃ）には、部分透過ミラー１４の変形例を示すが、（Ａ）は光透過部１４ｃと光反射部ｄの形状を四角形としたもの、（Ｂ）は光透過部１４ｅと光反射部１４ｆの形状を縞状としたもの、（Ｃ）は多角形を同心状に配置して光透過部１４ｇと光反射部１４ｈを形成したものである。
それぞれの光透過部と光反射部の最小寸法は平面１３ａの１／１０００〜１／５０程度（より好ましくは、１／２００〜１／５０）とするのがよい。
この場合の部分透過ミラー１４の光透過率は５０％となるが、光透過部と光反射部の割り合い、又は形状を変えて４０〜６０％とすることもできる。
【００２６】
なお、キュービックコーナー体１２の入光側に直接部分透過ミラーを形成するのが好ましいが、光制御部材１３の入光側に光反射部を散在させた透明板材（シート材、フィルムを含む）を配置することもできる。この透明板材の裏面（場合によっては表面）に部分透過ミラーを形成することになる。
また、多数のキュービックコーナー体１２を並べた状態で金型成形すると共に、これらの入光面を連結する部材を透明にして、部分透過ミラーを形成する。各キュービックコーナー体１２の頂部（仮想角部）を切断して頂部平面２４を形成することもできる。
【００２７】
続いて、この立体像表示装置１０の動作を説明し、本発明の一実施の形態に係る立体像表示方法についても説明する。
以上の構成となった立体像表示装置１０の表側に、図１、図４、図６に示すように、対象物２６を一定距離離しておくと、対象物２６からの光は、部分透過ミラー１４を通過して光制御部材１３に入光する。光制御部材１３自体は再帰性反射材となっているので、キュービックコーナー体１２の３つの面１７〜１９を介して入射方向に再帰性反射材で光（即ち、再帰反射光）を反射し、部分透過ミラー１４に届く。即ち、対象物２６からの光Ｌが、１）部分透過ミラー１４の光透過部１４ａを通り抜けて、２）面１９のＰ１点で反射、３）面１８のＰ２点で反射、４）面１７のＰ３点で反射する。面１７のＰ３点での反射光は、光Ｌと平行になり、部分透過ミラー１４の光反射部１４ｂであるＰ４点で反射して、反射光出口１１ａから外部に出て結像する。
【００２８】
部分透過ミラー１４の光透過部１４ａによって一部の光は透過するが、他の光は光反射部１４ｂで反射し、反射光出口１１ａから図１で示す下側（外部）に抜けて、実像（立体像）２７を結像する。この場合の実像２７は部分透過ミラー１４の光反射部１４ｂの反射率が高いほど、反射光出口１１ａの面積が大きい程、理論的には明るくなるが、部分透過ミラー１４の反射率を上げると対象物２６からの光が減少し、反射光出口１１ａの面積が大きくなると、再帰性反射材の機能が低下する。従って、部分透過ミラー１４の透過率は４０〜６０％に近い程良く、反射光出口１１ａの面積は正三角形２３の面積の２０〜３６％とするのがよい。正三角形２３の面積は高さｈ１の二乗に比例する。
【００２９】
なお、頂部をカットされていないキュービックコーナー体を軸心を平行にして平面状に並べて、光制御部材を設け、この光制御部材と対象物との間に、一枚のハーフミラー又は部分透過ミラーを斜めに配置すると、対象物からの光はハーフミラー又は部分透過ミラーを通過し、光制御部材内に進入して、再帰性反射を行い、ハーフミラー又は部分透過ミラーによって反射して、実像を形成することになるが、光制御部材と対象物の間でその外側位置に結像するので、実像を正面視できない。従って、本発明に係る立体像表示装置１０の場合は、実像を正面視できるので、より応用範囲が広い。
【００３０】
また、前記実施の形態においては、部分透過ミラーの代わりに、従来からのハーフミラーを使用することもできるが、ハーフミラーの場合、透光率の制御が難しく、部分透過ミラーの方が均一な製品を製造できる。
本発明は前記した実施の形態に限定されるものではなく、本発明の要旨を変更しない範囲でその構成を変更することもできる。
【符号の説明】
【００３１】
１０：立体像表示装置、１１：頂部、１１ａ：反射光出口、１２：キュービックコーナー体、１３：光制御部材、１３ａ：平面、１４：部分透過ミラー、１４ａ：光透過部、１４ｂ：光反射部、１４ｃ：光透過部、１４ｄ：光反射部、１４ｅ：光透過部、１４ｆ：光反射部、１４ｇ：光透過部、１４ｈ：光反射部、１６：立方体、１７〜１９：面、２０〜２２：底辺、２３：正三角形、２４：頂部平面、２６：対象物、２７：実像
【図１】
0006014063.tif 000002
【図２】
0006014063.tif 000003
【図３】
0006014063.tif 000004
【図４】
0006014063.tif 000005
【図５】
0006014063.tif 000006
【図６】
0006014063.tif 000007
【図７】
0006014063.tif 000008